(57)【要約】【課題】使用者がＣＤＡ（コンティニュアス  データ  エリア）の制限を気にすることなくプレイリスト再生を実行できる再生装置を提供する。【解決手段】プレイリスト１０１が参照するクリップ１０４のデータの長さが、映像・音声の再生を継続して行うことが可能な最小の単位として規定されているＣＤＡよりも小さい場合は、そのクリップ１０４をプレイリスト１０１で指定される連続する他のクリップの一部１０６と結合して、ＣＤＡ以上の長さの結合クリップ１０２を新規に作成し、プレイリスト１０１を編集して結合クリップ１０２を参照するようにプレイリストを変更した後、プレイリスト再生を実行するよう構成する。【選択図】      図１
2004355767.tif 000002
【特許請求の範囲】
【請求項１】
記録媒体に記録された画像データを、再生手順を定めたプレイリストを用いて再生可能な再生装置において、
前記プレイリストで再生指定される第１の画像データを、前記プレイリストで指定される第２の画像データの一部または全部と結合し、結合クリップを生成して記憶する手段と、
前記第１の画像データの長さが所定の長さより短いときは、前記プレイリストが前記結合クリップを参照して再生するよう制御する再生手段とを備えたことを特徴とする再生装置。
【請求項２】
請求項１において、前記所定の長さとは前記記録媒体に記録可能な前記画像データの最小記録単位であることを特徴とする再生装置。
【請求項３】
請求項２において、前記記録媒体はディスクであって、前記最小記録単位とはＣＤＡであることを特徴とする再生装置。
【請求項４】
請求項１において、前記結合クリップのデータの長さとは前記記録媒体に記録可能な前記画像データの最小記録単位以上であることを特徴とする再生装置。
【請求項５】
請求項４において、前記記録媒体はディスクであって、前記最小記録単位とはＣＤＡであることを特徴とする再生装置。
【請求項６】
請求項１において、前記結合クリップは前記記録媒体に記憶することを特徴とする再生装置。
【請求項７】
請求項１において、前記結合クリップは前記記録媒体と異なる記憶手段に記憶することを特徴とする再生装置。
【請求項８】
請求項６または７において、前記結合クリップは使用者による操作を制限または禁止して記憶することを特徴とする再生装置。
【請求項９】
請求項１において、前記プレイリストを変更あるいは削除して、前記結合クリップを参照する必要がなくなったならば記憶された前記結合クリップを削除することを特徴とする再生装置。
【請求項１０】
請求項１において、前記結合クリップのデータの長さはＣＤＡ以上の長さであって、かつＭＰＥＧのデータ単位であるＧＯＰ単位となる最小の長さであることを特徴とする再生装置。
【発明の詳細な説明】
【０００１】
【発明の属する技術分野】
本発明は、ランダムアクセス可能な記録媒体に記録された動画、静止画及び音声といった情報を再生する再生装置に関するものである。
【０００２】
【従来の技術】
近年、記録媒体として、半導体メモリカードやＤＶＤ等のディスク状の記録媒体（以下、ディスクと称す）を採用したカメラ一体型記録再生装置（以下、ビデオカメラと称す）が登場している。このようなビデオカメラでは、磁気テープには無かった記録媒体のランダムアクセス性を特徴にして、製品が構成されている。
【０００３】
例えば、上記のビデオカメラでは、撮影したシーンについて動画、静止画、或いは音声を各ファイルとしてディスク等に記録する。再生時は各ファイルにダイレクトにアクセスして、容易かつ高速な再生動作を行うことができる。
【０００４】
また、ディスク再生装置においては、ディスクに記録された各ファイルの任意のシーンを連続的に再生する手法として、プレイリストによるプログラム再生が知られている。また、ビデオカメラにおいて、このようなプレイリストを生成する先行技術としては、特開２００２−１７５６８０号公報（特許文献１）などが既に知られている。
【０００５】
【特許文献１】
特開２００２−１７５６８０号公報
【０００６】
【発明が解決しようとする課題】
ところで、ディスク媒体の一種であるＤＶＤには、映像や音声データの連続再生処理を可能とするために必要な長さを満たす最小の記録単位が規格として規定されている。この記録単位はＣＤＡ（Ｃｏｎｔｉｎｕｏｕｓ  Ｄａｔａ  Ａｒｅａ）と称されている。このＣＤＡを守ることで、連続した再生が保証されるものである。
【０００７】
しかしながら、上記の従来技術で説明したようなプレイリストを生成するとき、使用者はディスクに記録されたファイルについて任意のシーンをプレイリストに指定できるが、ＣＤＡ以下の長さのシーンを指定すると、連続的な再生が保証できなくなるといった問題があった。
【０００８】
特に、使用者がビデオカメラで撮影したスポーツの映像等から、一瞬のシーンを抜き出して他のシーンと繋げてプレイリスト再生したい場合などは、このＣＤＡの制限が障害となって所望のシーンを再生できないといったケースがあった。
【０００９】
本発明は上記の問題点を鑑みてなされたものであり、使用者がＣＤＡの制限を気にすることなくプレイリスト再生を実行できる再生装置を提供することを目的としている。
【００１０】
【課題を解決するための手段】
斯かる目的を達成する為の手段として、本発明は以下の構成からなる手段を有する。
【００１１】
本発明の再生装置は、記録媒体に記録された画像データを、再生手順を定めたプレイリストを用いて再生可能な再生装置であって、前記プレイリストで再生指定される第１の画像データを、前記プレイリストで指定される第２の画像データの一部または全部と結合し、結合クリップを生成して記憶する手段と、前記第１の画像データの長さが所定の長さより短いときは、前記プレイリストが前記結合クリップを参照して再生するよう制御する再生手段とを備えたことを特徴とする。
【００１２】
【発明の実施の形態】
以下、図面を参照しながら本発明の好適な実施の形態を説明する。
【００１３】
図２は本発明の実施の形態における再生装置２００の構成図である。再生装置２００は一例として、ＤＶＤ、Ｂｌｕ−ｒａｙ  Ｄｉｓｃ、ＣＤ−Ｒ、ＤＲ−ＲＡＭなどのディスクを記録媒体とするデジタルビデオカメラである。また、図１は図２の再生装置２００で用いられる本発明特有のプレイリストの概念図である。
【００１４】
まず、図２の再生装置２００の撮影モードと再生モードにおける各動作について説明する。再生装置２００は再生モードにおける再生機能の一つとして、図１に示したようなプレイリストを用いたプレイリスト再生が可能な構成となっているが、それについては後述する。
【００１５】
まず撮影モードにおいて、レンズや撮像系から構成される撮像部２０１によって得られた画像信号は、バス２１４を介して、画像信号処理部２０２及び表示制御部２０８に出力される。
【００１６】
画像信号処理部２０２は、撮像された動画像についてはＭＰＥＧ２や４などの周知の圧縮符号化方式により、また静止画像についてはＪＰＥＧなどの周知の圧縮符号化方式によって画像信号の符号化を行い、符号化データを生成する。このとき、記録動作を行っているならば、画像の符号化データはバス２１４を介して、ディスクインタフェース（Ｉ／Ｆ）２０５から、ＤＶＤ或いはＢｌｕ−ｒａｙ
Ｄｉｓｃ等のディスクＤに所定の記録フォーマットで記録される。
【００１７】
また、表示制御部２０８は、撮影モードのときは撮像部２０１で撮影された画像信号を液晶モニタ等の表示部２０９に表示する。
【００１８】
一方、撮影動作と並行してマイク２０３によって得られた音声信号は、バス２１４を介して、音声信号処理部２０４に出力される。音声信号処理部２０４はＭＰＥＧ‐２／ＡＡＣなどの周知の音声圧縮符号化方式によって音声信号の符号化を行い、符号化データを生成する。このとき、記録動作を行っているならば、音声の符号化データはバス２１４を介して、ディスクインタフェース（Ｉ／Ｆ）２０５からディスクＤに所定の記録フォーマットで記録される。
【００１９】
また、再生装置２００は必要に応じて画像や音声の符号化データを、外部インタフェース（Ｉ／Ｆ）２１３から外部の装置やネットワークへ出力することができる構成となっている。さらに、外部Ｉ／Ｆ２１３から入力した外部からの画像や音声の符号化データをディスクＤに記録することも可能な構成となっている。
【００２０】
また撮影モードにおいて、使用者から操作キー２１１の操作によって記録開始指示があると、ＣＰＵ２１０は各部の制御を行うが、具体的にディスクＩ／Ｆ２０５に対しては前述のように符号化された画像データ、音声データの記録動作を実行する為の制御信号を出力し、また記録動作に合わせてディスクＤの回転動作等を制御する制御信号を出力する。
【００２１】
なお、このときＣＰＵ２１０よりディスクＩ／Ｆ２０５に出力される制御信号には、撮像部２０１に関する各種情報、画像や音声の画質や音質などの設定情報、撮影環境に関する付加情報などを含む。
【００２２】
また、ＣＰＵ２１０は、記録開始の指示に応じて撮影中の動画像信号から１フレームの画像信号を抽出し、そのサイズを縮小したサムネイル画像を生成するよう画像信号処理部２０２を制御し、このサムネイル画像データもディスクＩ／Ｆ２０５に出力してディスクＤに記録する。
【００２３】
なお、ディスクＩ／Ｆ２０５はディスクＤにデータを書き込み、読み出す為の光ピックアップ、或いは磁気ヘッド、及びそのメカニズムなどを有し、画像や音声の符号化データと、画像や音声の記録データを制御するための制御データとを一つのファイルとして、ＵＤＦ或いはＦＡＴなどのファイルシステムの管理に基づいてディスクＤへの記録、再生を行う。ファイルシステムとは、ファイルの管理を行うための管理情報と画像や音声等のファイルデータからなる構造を意味しており、このファイルシステムを共通化することにより、異なった記録媒体、あるいは記録再生機器においても情報を記録または再生できる。
【００２４】
次に再生モードにおいて、通常の再生動作時には、ＣＰＵ２１０の制御のもとディスクＩ／Ｆ２０５によってディスクＤから読み出した画像や音声の符号化データを、ファイル単位で単独或いは連続して再生し、バス２１４を介して、画像信号処理部２０２で画像の符号化データを復号し、また音声信号処理部２０４で音声の符号化データを復号した上で、画像信号は表示制御部２０８によって表示部２０９で再生画像として表示し、音声信号はスピーカドライバ２０６によってスピーカ２０７で再生音声として出力する。
【００２５】
また、再生モードにおいて、使用者から操作キー２１１の操作によってプレイリスト再生指示があると、ＣＰＵ２１０は各部の制御を行い、ディスクＤから、或いはメモリ２１２から読み出したプレイリストに基づいてプレイリスト再生（プログラム再生）を実行する。プレイリスト再生によって再生された画像や音声の符号化データは、バス２１４を介して、画像信号処理部２０２で画像の符号化データを復号し、また音声信号処理部２０４で音声の符号化データを復号した上で、画像信号は表示制御部２０８によって表示部２０９で再生画像として表示し、音声信号はスピーカドライバ２０６によってスピーカ２０７で再生音声として出力する。
【００２６】
ここで、プレイリストはディスクＤに記録された画像（動画、静止画）、音声などの各種情報ファイルの再生手順を指定するためのリストファイル（バイナリファイルでも実現可能である）であり、任意の再生経路、任意の再生区間、多彩な再生エフェクト機能、任意の位置や区間でのリンク機能等を記述している。
【００２７】
次に、本発明におけるプレイリストの構成を説明する。まず、通常生成するプレイリストの構成から説明する。図３は通常のプレイリストの概念図、図４は図３のプレイリストを用いたときの再生動作イメージ図、図５は図３のプレイリストの構成を表示した図である。
【００２８】
図３において、３０１はプレイリストであり、一つ以上の再生する動画クリップ名及び各クリップの中の再生開始時間および終了時間などが書かれている。図３の例では、プレイリスト３０１には、クリップ１から３０２の区間が、クリップ２から３０３の区間が、クリップ３から３０４の区間が指定されているものとして、各クリップ名とその再生開始及び終了時間（ａ〜ｆ）が記述されている。
【００２９】
具体例を挙げれば、図３のクリップ１、２、３は再生装置２００で記録された映像・音声データであり、使用者の操作に応じて、それぞれ撮影中の画像を記録開始操作から記録停止操作までの間録画した動画ファイル（対応する音声を含む）である。３０２はプレイリスト３０１によって指定されるクリップ１中の、開始時間ａから終了時間ｂまでの映像・音声データである。同様に、３０３はプレイリスト３０１によって指定されるクリップ２中の、開始時間ｃから終了時間ｄまでの映像・音声データであり、３０４はプレイリスト３０１によって指定されるクリップ１中の、開始時間ｅから終了時間ｆまでの映像・音声データである。
【００３０】
このとき、プレイリスト３０１に基づいて再生すると、再生開始とともにクリップ１の時間ａからｂまでの映像・音声データ３０２を再生し、続けてクリップ２の時間ｃからｄまでの映像・音声データ３０３を再生し、更に続けてクリップ３の時間ｅからｆまでの映像・音声データ３０４を再生して終了する。
【００３１】
このプレイリスト３０１の構成は、図５のように表される。図５はプレイリスト３０１の構成を一覧画面５００で表したものである。図５において、５０１はプレイリスト再生時に抽出する映像・音声データが記録されているクリップ名、５０２はプレイリスト再生時に抽出する各クリップ中の再生区間の開始時間、５０３は同様に終了時間である。
【００３２】
プレイリスト再生は、読み込んだプレイリストに基づいて、指定された複数クリップの開始時間から終了時間までを連続して再生する。プレイリスト３０１の場合は、クリップ１の時間ａからｂまでの映像・音声データを再生した後、クリップ２の時間ｃからｄまでの映像・音声データを再生し、更にクリップ３の時間ｅからｆまでの映像・音声データを継続して再生するようにプレイリストが記述されている。
【００３３】
ところで、図３に示したプレイリスト３０１の一部（クリップ２中のｃからｄの区間）が、ＣＤＡ以下のサイズで指定されている場合、再生装置２００の再生動作は図４のようになる。
【００３４】
それぞれのクリップは連続な論理セクターに記録されたデータのかたまりであり、プレイリスト再生の場合は、あるクリップの指定した時間のデータを読み込み、また次のクリップのデータと、次々にクリップの指定した時間のデータを読む動作を繰り返すことで、プレイリスト再生に必要なデータの読み出しが行われる。
【００３５】
このとき、あるクリップから別のクリップへ移る際には、ディスクの回転数を変化させ、光ピックアップを移動させる必要がある。あるクリップから別のクリップへ移るために必要とする時間が、図４のシーク時間である。この間、ドライブからはデータが取り出せないが、映像・音声の再生は継続して行われる。映像・音声の再生を継続して行うことを保証する最小のデータ量がＣＤＡである。
【００３６】
そのため、図３のようにクリップ２の開始時間ｃから終了時間ｄまでの映像・音声データ３０３の長さがＣＤＡ以下の場合は、図４のようにフリーズ画像を表示する区間４０７を挿入する（フリーズ画像はフリーズ直前の画像のホールドでよい）。すなわち、クリップ１の時間ａからｂまでのデータ３０２に相当する再生映像・再生音声４０４を再生した後、継続してクリップ２の時間ｃからｄまでのデータ３０３に相当する再生映像・再生音声４０５を再生し、ここでフリーズ区間４０７があった後、更にクリップ３の時間ｅからｆまでデータ３０４に相当する再生映像・再生音声４０６を再生することとなる。このようにフリーズ画像を入れることによって、連続再生を維持することもできる。
【００３７】
さらに、本発明の再生装置２００では、先述した通常のプレイリストを編集して新規のプレイリストを作成することによって、このフリーズ区間も無くして連続再生を行えるよう構成した。
【００３８】
本発明の再生装置２００が生成する特徴的なプレイリストの概念図が図１に示したものである。また図１のプレイリストに基づくプレイリスト再生の動作イメージ図を図６に、図１のプレイリストの構成を表示した図を図７に示す。
【００３９】
図１の１０１はプレイリストであり、一つ以上の再生する動画クリップ名及び各クリップの中の再生開始時間および終了時間などが書かれている。
【００４０】
図１の例では、プレイリスト１０１には、クリップ１から１０３及び１０６の区間が、クリップ２から１０４の区間が、クリップ３から１０５の区間が、再生されるよう指定されているものとして、各クリップ名とその再生開始及び終了時間が記述されるものである。
【００４１】
このとき、プレイリスト１０１に基づいて再生すると、再生開始とともにクリップ１の時間ａからｂまでの映像・音声データ１０３及び１０６を再生した後、継続してクリップ２の時間ｃからｄまでの映像・音声データ１０４を再生し、更にクリップ３の時間ｅからｆまでの映像・音声データ１０５を再生したい場合することになるが、図１のようにクリップ２の時間ｃからｄまでの映像・音声データ１０４がＣＤＡ以下のサイズであるため先述したようなフリーズが発生するケースとなる。従って、これを避けるため、結合クリップ１０２を生成し、フリーズの発生の原因となる区間のデータを結合クリップ１０２と差し替えるように、プレイリストの指定先を変更する形でプレイリスト１０１を編集する。
【００４２】
結合クリップは、プレイリスト１０１で指定されたＣＤＡ以下のサイズ（長さ）であるクリップ２の時間ｃからｄまでの映像・音声データと、プレイリスト１０１によって指定されているｃの前（或いはｄの後）に再生される映像・音声データの一部とを結合させて、新規に生成する。図１では、ｃの前の映像・音声データと結合すべく、クリップ１の時間ｉ（ａ≦ｉ＜ｂ）からｂまでの区間１０６を抜き出して、１０４と結合させて結合クリップ１０２を生成した例を示してある。また、生成した結合クリップは記録媒体（図２におけるディスクＤの所定領域またはメモリ２１２）にて保存していつでも読み出せるようにする。
【００４３】
こうして生成した結合クリップ１０２の開始時間ｇ（クリップ１の時間ｉに相当）から、終了時間ｈ（クリップ２の時間ｄに相当）をプレイリスト１０１が参照するようにプレイリスト１０１を変更（編集）する。結果的に、プレイリスト１０１では、クリップ１から１０３の区間が、結合クリップから１０２の区間が、クリップ３から１０５の区間がそれぞれ連続して再生されるよう指定され、各クリップ名とその再生開始及び終了時間が記述されるものとなり、本来の再生順序と変わらないプレイリストが完成する。
【００４４】
図８に結合クリップ生成を説明するための拡大図を示す。クリップ１の時間ｉからｂまでの映像・音声データ１０６は、ＣＤＡからクリップ２の時間ｃからｄまでの映像・音声データ１０４を差し引いたサイズである。そして、結合クリップ１０２はＣＤＡ以上のサイズで、ＭＰＥＧのデータ単位であるＧＯＰ単位の最小サイズとする。また、結合クリップ１０２は、その他の映像や音声等の各クリップと区別するために、一時ファイルのような形で使用者から見えないようにし、変更や削除などが出来ないようになっている。
【００４５】
完成したプレイリスト１０１の構成を、図７を用いて示す。
【００４６】
図７は完成したプレイリスト１０１の構成を一覧画面７００で表したものである。図７において、７０１はプレイリスト再生時に抽出する映像・音声データが記録されているクリップ名、７０２はプレイリスト再生時に抽出する各クリップ中の再生区間の開始時間、７０３は同様に終了時間である。
【００４７】
プレイリスト再生は、読み込んだプレイリストに基づいて、指定された複数クリップの開始時間から終了時間までを連続して再生する。プレイリスト１０１の場合は、クリップ１の時間ａからｉまでの映像・音声データを再生した後、結合の時間ｇからｈまでの映像・音声データを再生し、更にクリップ３の時間ｅからｆまでの映像・音声データを継続して再生するようにプレイリストが記述されている。
【００４８】
このようにして、結合クリップを用いてクリップ１の時間ａからｂまでの映像・音声データを再生した後、クリップ２の時間ｃからｄまでの映像・音声データを再生し、更にクリップ３の時間ｅからｆまでの映像・音声データを継続して再生する場合と、同様の再生を行うことが出来る。
【００４９】
次に結合クリップ１０２を用いて生成したプレイリストに基づくプレイリスト再生動作について図６を用いて説明する。クリップ１の時間ａからｉまでのデータ１０３に相当する再生映像・再生音声６０１を再生した後、継続して結合クリップの時間ｇからｈまでのデータ１０２に相当する再生映像・再生音声６０２を再生し、更に継続してクリップ３の時間ｅからｆまでデータ１０５に相当する再生映像・再生音声６０３を再生することとなる。
【００５０】
図６において、この場合はクリップ２の時間ｃからｄまでの映像・音声データではなく、新規に作成した結合クリップ１０２を用いているので、クリップ１の時間ａからｉまでの映像・音声データ１０３、結合クリップの時間ｇからｈまでの映像・音声データ１０２、及びクリップ３の時間ｅからｆまでの映像・音声データ１０５は、全てＣＤＡ以上のサイズであるために、フリーズが入らず、一連のデータを継続して再生することが出来る。
【００５１】
なお、先述した結合クリップの構成では、ＣＤＡ以下の長さのデータを直前のデータと結合した例で説明したが、直後のデータと結合することも本実施の形態の構成から容易に実現できる。例えば、クリップ２の時間ｃからｄまでの映像・音声データ１０４とプレイリスト上で連続する直後のクリップ３の、時間ｅからｆまでの前半の一部と結合したり、あるいは映像・音声データ１０４と連続する複数クリップの一部と結合して結合クリップを作成するような構成も本実施形態の範疇である。
【００５２】
また、結合クリップは、対応するプレイリストが更新や削除されたり、対応するシーンがカットされたりした場合は、該結合クリップを削除する構成とする。
【００５３】
このように、本実施の形態によれば、プレイリストに従ってプレイリスト再生を行う場合、プレイリスト１０１が参照する映像・音声データ１０４のデータの長さがＣＤＡよりも小さいときは、その映像・音声データ１０４をプレイリスト１０１で指定される連続する他のクリップの一部（例えば１０６の区間のデータ）と結合してＣＤＡ以上の長さの結合クリップ１０２を新規に作成し、プレイリスト１０１を編集して結合クリップ１０２を参照するようにプレイリストを変更した後、プレイリスト再生を実行するよう構成したことによって、プレイリストでＣＤＡよりも小さい長さのシーンを指定した場合でもフリーズの無い連続再生を可能としている。
【００５４】
また、上記結合クリップはＣＤＡ以上で、ＧＯＰ単位の最小サイズであり、参照する必要がなくなる場合は削除するので、記録媒体の容量を無駄にせず、更に使用者から見えないようになっているので、使用者がＣＤＡという概念を気にせず自由にプレイリスト再生ができる。
【００５５】
＜他の実施形態＞
その他の実施形態として、前述した発明の実施形態の機能をソフトウェアで実現しても良い。ソフトウェアのプログラムを、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００５６】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００５７】
その場合、プログラムの機能を有していれば、オブジェクトコード、インタプリタにより実行されるプログラム、ＯＳに供給するスクリプトデータ等、プログラムの形態を問わない。
【００５８】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、Ｂｌｕ−ｒａｙ  Ｄｉｓｃ等の光／光磁気記憶媒体、不揮発性の半導体メモリなどがある。
【００５９】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００６０】
つまり、本発明の機能処理をコンピュータで実現するためのプログラムデータファイルを複数のユーザに対してダウンロードさせるサーバ装置も本発明に含む。
【００６１】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００６２】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００６３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現され得る。
【００６４】
【発明の効果】
以上説明したように本発明によれば、使用者が記録媒体上の制限を気にすることなくプレイリスト再生を行うことができる。
【図面の簡単な説明】
【図１】本発明の実施形態で用いるプレイリストの概念図である。
【図２】本発明の実施の形態における再生装置の構成図である。
【図３】本発明の実施形態で用いる編集前のプレイリスト（通常のプレイリスト）の概念図である。
【図４】図３のプレイリストを用いたときの再生動作を図示したものである。
【図５】図３のプレイリストの構成を表示した図である。
【図６】図１のプレイリストを用いたときの再生動作を図示したものである。
【図７】図１のプレイリストの構成を表示した図である。
【図８】本発明の実施形態における結合クリップ生成を説明するための拡大図である。
【符号の説明】
１０１  プレイリスト
１０２  結合クリップ
１０３  映像・音声データ（クリップ１）
１０４  映像・音声データ（クリップ２）
１０５  映像・音声データ（クリップ３）
１０６  結合用の映像・音声データ（クリップ１）
２０１  撮像部
２０２  画像信号処理部
２０３  マイク
２０４  音声信号処理部
２０５  ディスクインタフェース（Ｉ／Ｆ）
２０６  スピーカドライバ
２０７  スピーカ
２０８  表示制御部
２０９  表示部
２１０  ＣＰＵ
２１１  操作キー
２１２  メモリ
２１３  外部インタフェース（Ｉ／Ｆ）
２１４  バス
Ｄ  ディスク
【図１】
2004355767.tif 000003
【図２】
2004355767.tif 000004
【図３】
2004355767.tif 000005
【図４】
2004355767.tif 000006
【図５】
2004355767.tif 000007
【図６】
2004355767.tif 000008
【図７】
2004355767.tif 000009
【図８】
2004355767.tif 000010